(57)【要約】撮像装置は、撮影される被写体像をプレビュー表示するモニタ（１）と、被写体を間接的に照明するためのストロボ光を照射するストロボ装置（２）と、モニタ（１）とストロボ装置（２）とに信号を入出力する制御装置とを備える。ストロボ装置（２）は、ストロボ光の照射方向を変更する発光部（２ａ）を備えている。制御装置は、被写体までの被写体距離を測定し、被写体距離とストロボ光の照射方向とから、ストロボ光（バウンス光）によって照明された被写体像を予測し、予測された被写体像をモニタ（１）に表示させる。これにより、バウンス撮影の結果を撮影前に確認して、最適なバウンス撮影を実現できる。
2015025485.tif 000002
【特許請求の範囲】
【請求項１】
被写体を照明するストロボ光を照射するストロボ装置と、撮影される被写体像をプレビュー表示するモニタと、前記ストロボ装置と前記モニタとに信号を入出力する制御装置と、
前記被写体までの被写体距離を測定するセンサと、を備え、
前記ストロボ装置は、前記ストロボ光の照射方向を変更する発光部を備え、
前記制御装置は、前記センサで測定した前記被写体距離と、前記ストロボ光の照射方向に基づいて、前記ストロボ光の影響を受けた前記被写体像を予測し、予測された前記被写体像を前記モニタにプレビュー表示させる撮像装置。
【請求項２】
被写体を照明するストロボ光を照射する発光部を備え、前記発光部によってストロボ光の照射方向が変更されるストロボ装置を装着可能とした撮像装置であって、
撮影される被写体像をプレビュー表示するモニタと、
前記被写体までの被写体距離を測定するセンサと、
前記ストロボ装置と前記モニタとに信号を入出力する制御装置と、を備え、
前記制御装置は、前記センサで測定した前記被写体距離と、前記ストロボ光の照射方向に基づいて、前記ストロボ光の影響を受けた前記被写体像を予測し、予測された前記被写体像を前記モニタにプレビュー表示させる撮像装置。
【請求項３】
前記モニタは、タッチパネル機能を有し、
前記制御装置は、前記モニタ上でタッチ入力された位置で、前記ストロボ光の影響を受けた前記被写体像を予測し、前記予測された前記被写体像を前記モニタにプレビュー表示し、前記予測されたように前記被写体を照明するように前記ストロボ光の照射方向を算出して制御する請求項１または請求項２に記載の撮像装置。
【請求項４】
前記制御装置は、算出された前記ストロボ光の照射方向を制御信号として前記ストロボ装置に出力し、
前記ストロボ装置は、前記制御装置から出力された前記制御信号に基づいて前記発光部の向きを変更するアクチュエータを備える請求項３に記載の撮像装置。
【請求項５】
被写体を照明するストロボ光を照射する発光部と、撮影される被写体像をプレビュー表示するモニタと、前記発光部と前記モニタとに信号を入出力する制御装置と、
前記被写体までの被写体距離を測定するセンサと、を備え、
前記発光部は、前記ストロボ光の照射方向を変更可能に構成され、
前記制御装置は、前記センサで測定した前記被写体距離と、前記ストロボ光の照射方向に基づいて、前記ストロボ光の影響を受けた前記被写体像を予測し、予測された前記被写体像を前記モニタにプレビュー表示させるストロボ装置。
【請求項６】
請求項５に記載のストロボ装置を備える撮像装置。
【請求項７】
前記モニタに信号を入力する前記制御装置は、通信機能を有するとともに、前記モニタは、ストロボ装置本体または撮像装置本体から分離されて構成される請求項１に記載の撮像装置。
【請求項８】
前記モニタとして、スマートフォンまたはタブレットコンピュータを用いる請求項７に記載の撮像装置。
【発明の詳細な説明】
【技術分野】
【０００１】
本発明は、被写体を間接的に照明するバウンス撮影のためのストロボ装置およびストロボ装置を備えた撮像装置およびストロボ装置を装着可能とした撮像装置に関する。
【背景技術】
【０００２】
従来から、写真撮影において、被写体を照明するためのストロボ装置が種々提供されている。【０００３】
さらに、近年、より自然な画像を得るために、被写体を間接的に照明するバウンス撮影用のストロボ装置が提供されている。バウンス撮影用のストロボ装置は、ストロボ光を天井や壁などの反射体に向けて照射する。そして、反射体で拡散したバウンス光によって、被写体を間接的に照明して撮影する。【０００４】
また、上記構成のストロボ装置を内蔵したストロボ内蔵カメラも提案されている（例えば、特許文献１参照）。【０００５】
特許文献１に記載のストロボ内蔵カメラは、制御部を備えている。そして、制御部は、撮影レンズの光軸方向である撮影方向とストロボ光を反射体に向けて照射する照射方向とのなすバウンス角を自動的に制御して、バウンス撮影をする。【０００６】
さらに、上記ストロボ内蔵カメラは、撮影モードで被写体像などをプレビュー表示するモニタ（ＬＣＤ：Ｌｉｑｕｉｄ  Ｃｒｙｓｔａｌ  Ｄｉｓｐｌａｙ）を備えている。この場合、モニタにプレビュー表示される被写体像は、バウンス光によって照明されない（バウンス撮影されない）状態で表示されている。そのため、バウンス撮影された状態の被写体像を、モニタで確認することができない。【０００７】
通常、バウンス撮影された被写体像は、バウンス撮影されない被写体像と大きく異なる。具体的には、バウンス光の有無やバウンス角などによって、影の出方が異なったり、テカリが出たり出なかったりする。そのため、ユーザがバウンス撮影されない状態でプレビュー表示した被写体像を確認し、それに基づいてバウンス撮影しても、所望の画像が得られない場合がある。【０００８】
このとき、所望の画像が得られるまで、試し撮りを何回も繰り返し、望ましいバウンス角を設定して撮影することも可能である。しかし、試し撮りを繰り返している間に、シャッターチャンスを逃すなどの課題があった。
【先行技術文献】
【特許文献】
【０００９】
【特許文献１】特開２００９−１６３１７９号公報
【発明の概要】
【００１０】
本発明は、バウンス撮影の結果を撮影前に確認することができるようにした撮像装置およびストロボ装置を提供する。
【００１１】
本発明の撮像装置は、被写体を照明するストロボ光を照射するストロボ装置と、撮影される被写体像をプレビュー表示するモニタと、ストロボ装置とモニタとに信号を入出力する制御装置と、被写体までの被写体距離を測定するセンサとを備える。また、ストロボ装置は、ストロボ光の照射方向を変更する発光部を備える。そして、制御装置は、センサで測定した被写体距離と、ストロボ光の照射方向とに基づいて、ストロボ光の影響を受けた被写体像を予測し、予測された被写体像をモニタにプレビュー表示させる構成を有する。
【００１２】
また、本発明は、被写体を照明するストロボ光を照射する発光部を備え、発光部によってストロボ光の照射方向が変更されるストロボ装置を装着可能とした撮像装置である。そして、撮影される被写体像をプレビュー表示するモニタと、被写体までの被写体距離を測定するセンサと、ストロボ装置とモニタとに信号を入出力する制御装置とを備える。制御装置は、センサで測定した被写体距離と、ストロボ光の照射方向に基づいて、ストロボ光の影響を受けた被写体像を予測し、予測された被写体像をモニタにプレビュー表示させる構成を有する。
【００１３】
これらにより、予めバウンス光の影響を受けた被写体像を、被写体距離とストロボ光の照射方向とから制御装置によって予測する。そして、予測された影付きの被写体像をモニタにプレビュー表示する。これにより、撮影者は、事前に、バウンス撮影される被写体像を確認できる。その結果、シャッターチャンスを逃すことなく、バウンス撮影できる撮像装置を実現できる。
【００１４】
また、本発明のストロボ装置は、被写体を照明するストロボ光を照射する発光部と、撮影される被写体像をプレビュー表示するモニタと、発光部とモニタとに信号を入出力する制御装置と、被写体までの被写体距離を測定するセンサと、を備える。発光部は、ストロボ光の照射方向を変更可能に構成される。そして、制御装置は、センサで測定した被写体距離とストロボ光の照射方向に基づいて、ストロボ光の影響を受けた被写体像を予測し、予測された被写体像をモニタにプレビュー表示させる構成を有する。
【００１５】
これにより、ストロボ装置をカメラと別体で構成できる。そのため、既存のカメラに後付けして、バウンス撮影の結果を撮影前に確認できる。その結果、汎用性に優れたストロボ装置を実現できる。
【図面の簡単な説明】
【００１６】
【図１】図１は、本発明の実施の形態に係る撮像装置の概略斜視図である。
【図２】図２は、同実施の形態に係る撮像装置の概略斜視図である。
【図３】図３は、同実施の形態に係る撮像装置の概略斜視図である。
【図４】図４は、同実施の形態に係る撮像装置の概略ブロック図である。
【図５】図５は、同実施の形態の別の例に係る撮像装置の概略斜視図である。
【発明を実施するための形態】
【００１７】
以下、本発明の実施の形態について、図面を参照しながら説明する。なお、この実施の形態によって本発明が限定されるものではない。
【００１８】
（実施の形態）
以下に、本発明の実施の形態に係る撮像装置について、図１から図４を参照しながら説明する。
【００１９】
図１は、本発明の実施の形態に係る撮像装置の概略斜視図である。図２は、同実施の形態に係る撮像装置の概略斜視図である。図３は、同実施の形態に係る撮像装置の概略斜視図である。図４は、同実施の形態に係る撮像装置の概略ブロック図である。
【００２０】
図１から図４に示すように、本実施の形態の撮像装置は、少なくともモニタ１と、ストロボ装置２と、制御装置３などを備えている。モニタ１は、撮影される被写体像をプレビュー表示する。ストロボ装置２は、被写体を間接的、または直接的に照明するためのストロボ光を照射する。制御装置３は、モニタ１とストロボ装置２とに信号を入出力して、制御する。
【００２１】
そして、撮像装置は、カメラ本体４などから構成されるカメラ５に備えられている。
【００２２】
具体的には、図１から図３に示すように、モニタ１は、カメラ本体４の背面（被写体側と反対側）に設けられている。カメラ本体４の正面には、撮影レンズ（図示せず）を内蔵した鏡筒４１が取り付けられている。カメラ本体４の内部には、制御装置３（図４参照）やＣＣＤ（Ｃｈａｒｇｅ  Ｃｏｕｐｌｅｄ  Ｄｅｖｉｃｅ）（図示せず）などが収容されている。また、カメラ本体４の上面には、ストロボ装置２やレリーズボタン４２などが取り付けられている。
【００２３】
また、ストロボ装置２は、少なくとも発光部２ａと、アクチュエータ２ｂと、発光回路（図示せず）と、切替スイッチ（図示せず）などを備えている。発光部２ａは、ストロボ光を照射する。図４に示すアクチュエータ２ｂは、発光部２ａの姿勢を変更する。発光回路は、ストロボ光の発光量や発光範囲を制御する。なお、本実施の形態では、発光回路をストロボ装置２に組み込んだ例で説明するが、制御装置３に組み込んでもよい。
【００２４】
また、発光部２ａは、アクチュエータ２ｂにより、カメラ本体４の正面方向と背面方向との間で姿勢を変えることができる。さらに、発光部２ａは、アクチュエータ２ｂにより、カメラ本体４の両側方や斜め方向など３６０°回転可能に構成されている。なお、発光部２ａは、カメラ本体４の正面方向と背面方向との間で姿勢を変えるだけの構成としてもよい。このとき、撮影レンズが被写体に向いている方向に対する発光部２ａの角度（以下、バウンス角と記す）が、信号として制御装置３に入力される。
【００２５】
また、ストロボ装置２またはカメラ本体４は、被写体までの距離（以下、被写体距離と記す）を測定するためのセンサ（図示せず）を備えている。センサは、赤外線などを送受信する素子や超音波などを送受信する素子などによって構成される。センサは、カメラ本体４のレリーズボタン４２を半押しすることで作動し、被写体距離を検出する。そして、センサで検出された被写体距離は、制御装置３で測定される。
【００２６】
これにより、本実施の形態の制御装置３は、上記被写体距離とバウンス角とから、予めバウンス光の影響を受けた被写体像を予測する。そして、予測された被写体像を、カメラ本体４のモニタ１にプレビュー表示する。このとき、プレビュー表示される被写体像には、バウンス光により影が付けられたり、テカリが出た状態で表示される。なお、以下では、プレビュー表示された被写体像に、影が付いた場合のみを例に説明する。
【００２７】
また、図２に示すように、モニタ１は、タッチパネル機能を有している。これにより、ユーザの指１０などで、モニタ１上にタッチ入力された位置が、制御装置３によって特定される。このとき、制御装置３は、被写体を起点にタッチ入力された位置の方向に向けて、バウンス光によって生じる影の付いた被写体像を予測する。そして、予測した被写体像を、モニタ１にプレビュー表示させる。さらに、制御装置３は、予測された被写体像のように、実際に被写体に影を付けるための発光部２ａのバウンス角とバウンス光を照射する向きを算出する。算出された発光部２ａのバウンス角と向きを、制御信号として、ストロボ装置２のアクチュエータ２ｂに出力する。アクチュエータ２ｂは、入力された制御信号に基づいて、発光部２ａのバウンス角と向きを変更する。これにより、予測された被写体像のように、被写体がバウンス撮影される。
【００２８】
以上のように、本実施の形態の撮像装置が構成される。
【００２９】
以下に、本実施の形態の撮像装置の使用方法について、説明する。
【００３０】
まず、図１に示すように、ストロボ装置２の発光部２ａが、被写体の方に向いているとする。
【００３１】
このとき、撮影者がレリーズボタン４２を半押しすると、センサで検出された被写体距離とバウンス角（発光部２ａの角度）が、制御装置３によって算出される。
【００３２】
つぎに、制御装置３は、算出された被写体距離とバウンス角に基づいて、バウンス光によって被写体に作られる影を予測する。そして、予測された影付きの被写体像を、モニタ１にプレビュー表示する。なお、バウンス光は、発光部２ａから照射されたストロボ光が天井や壁などの反射体で反射された光である。そこで、制御装置３は、被写体距離とバウンス角とからバウンス光を予測する。
【００３３】
そして、撮影者は、プレビュー表示された被写体像、すなわちバウンス光によって間接的に照明された場合で予測した被写体像を、モニタ１で確認する。このとき、プレビュー表示された被写体像が、撮影者の所望の画像である場合、撮影者は、レリーズボタン４２を完全に押して、シャッターを切る。これにより、所望の状態でバウンス撮影された画像を得ることができる。
【００３４】
一方、プレビュー表示された被写体像が所望の画像でない場合、撮影者は、バウンス撮影において、影を引き出したい所望の方向のモニタ１上の位置をタッチ入力（フリック入力を含む）する。これにより、モニタ１は、タッチ入力された位置に延びる影を付けた被写体像をプレビュー表示する。例えば、図１に示す被写体像から、図２に示すように、被写体像の影を短くしたい場合、被写体の近くの位置をタッチ入力する。逆に、図１に示す影の方向と反対方向に、影を延ばしたい場合、図３に示すように、被写体の反対側の位置をタッチ入力する。
【００３５】
つまり、タッチパネル機構を有するモニタ１により、タッチ入力された位置が、制御信号として、制御装置３に入力される。
【００３６】
このとき、制御装置３は、被写体を起点にタッチ入力された方向に影を付けた被写体像を演算して予測し、予測した被写体像をモニタ１にプレビュー表示する。
【００３７】
そして、制御装置３は、撮影時に、被写体に影を付けるための制御信号をアクチュエータ２ｂに入力する。これにより、アクチュエータ２ｂは、発光部２ａをバウンス撮影の姿勢に転換する。
【００３８】
具体的には、図１のように被写体の方を向いていた発光部２ａが、例えば図２に示すような傾斜角度が大きい姿勢に転換される。また、例えば図３に示すような発光部２ａの照射方向が、被写体と反対方向に向けられる姿勢に転換される。なお、発光部２ａの姿勢は、モニタ１のタッチ入力で転換してもよい。具体的には、例えばモニタ１上で照明を当てたい位置をタッチすると、タッチした位置を適切な光量で照明できるように発光部２ａの姿勢を変える。さらに、別途、カメラ本体４またはストロボ装置２に、例えばエンターキー（図示せず）を設け、エンターキーを押すことにより、発光部２ａの姿勢を転換するように構成してもよい。
【００３９】
つまり、本実施の形態の撮像装置は、モニタ１にプレビュー表示された被写体像が所望の画像である場合、レリーズボタン４２を完全に押して、シャッターを切る。これにより、所望のバウンス撮影で被写体を撮影することができる。その結果、上記撮像装置を備えたカメラにより、シャッターチャンスを逃すことなく写真撮影することができる。
【００４０】
以下に、本実施の形態の別の例に係るストロボ装置について、図５を参照しながら説明する。
【００４１】
図５は、同実施の形態の別の例に係る撮像装置の概略斜視図である。
【００４２】
つまり、撮像装置をストロボ装置に設ける点で、カメラに設ける上記実施の形態とは異なる。
【００４３】
図５に示すように、同実施の形態の別の例に係るストロボ装置２０は、少なくともモニタ２１と、発光部２２と、制御装置（図示せず）と、接続部２３などを備えている。モニタ２１は、撮影される被写体像をプレビュー表示する。発光部２２は、ストロボ光を照射する。制御装置は、モニタ２１と発光部２２とに信号を入出力する。接続部２３は、カメラ本体４の上面に設けられたアクセサリーシュー４３に装着されて、ストロボ装置２０をカメラ５と接続する。
【００４４】
なお、ストロボ装置２０の発光部２２は、上記実施の形態で説明した発光部２ａと同じである。つまり、発光部２２は、ストロボ光の照射方向を変更できるように構成されている。
【００４５】
同様に、ストロボ装置２０の制御装置は、上記実施の形態で説明した制御装置３と同じである。つまり、制御装置３は、被写体までの被写体距離を、ストロボ装置２０またはカメラ本体４に設けられたセンサで測定する。そして、被写体距離とストロボ光の照射方向（バウンス角）とから、ストロボ光の影響を受けた被写体像を予測する。さらに、予測された被写体像を、ストロボ装置２０のモニタ２１に、簡易的にプレビュー表示する。
【００４６】
なお、本実施の形態のモニタ２１は、本来、絞り値、光量、露出補正量などを表示する画面である。また、通常、カメラ本体４に設けられたモニタ１の画面よりも小さい。そのため、ストロボ装置２０のモニタ２１は、通常、タッチパネル機能を備えていない。しかし、タッチパネル機能を備えてもよいことはいうまでもない。そこで、本実施の形態のストロボ装置２０は、モニタ２１に絞り値などを表示する画面と、簡易プレビュー表示する画面とを切り替えるスイッチ（図示せず）を備えている。これにより。必要に応じて、画面を切り替える。
【００４７】
以上のように、本実施の形態の別の例に係るストロボ装置が構成される。
【００４８】
つまり、本実施の形態のストロボ装置２０は、モニタ２１の簡易プレビュー表示において、上記実施の形態の撮像装置と同様に、バウンス撮影される被写体像を予め表示して、予測した被写体像を確認することができる。
【００４９】
このとき、予測した被写体像が、撮影者の所望の画像である場合、撮影者は、シャッターを切る。これにより、所望のバウンス撮影で被写体を撮影することができる。
【００５０】
一方、予測した被写体像が所望の画像でない場合、発光部２２の向きを変更する。これにより、変更された発光部２２の向きでバウンス撮影したときの予測した被写体像が、モニタ２１に簡易プレビュー表示される。その結果、撮影者は、バウンス撮影される被写体像を、予め確認しながら、撮影することができる。
【００５１】
なお、上記実施の形態に限定することなく、種々の変更を実施することができる。
【００５２】
具体的には、上記実施の形態では、発光部のバウンス角と向きについてのみ説明したが、これに限られない。例えば、まず、発光部から照射されるストロボ光の光量や配光範囲を含めて、バウンス光の状態を算出する。その上で、モニタにプレビュー表示し、光量や配光範囲も変更してバウンス撮影してもよい。これにより、より撮影者が所望する状態で被写体を撮影できる。
【００５３】
また、上記実施の形態では、ストロボ装置にアクチュエータを備えた例で説明したが、これに限られない。例えば、アクチュエータを備えない構成としてもよい。この場合、プレビュー表示された影が得られる発光部の角度と向きがモニタ１に表示される。そして、発光部の角度と向きを、手動で変更するようにしてもよい。
【００５４】
また、上記実施の形態では、モニタがタッチ入力パネル機能を有する例で説明したが、これに限られない。例えば、モニタは、発光部のバウンス角と向きから影付きの被写体像をプレビューするだけの機能としてもよい。この場合、まず、発光部のバウンス角と向きを変更しながら、影の状態をモニタで確認する。そして、撮影したい状態の影がプレビュー表示されたときに、発光部の姿勢を固定して撮影する。これにより、コストを低減できる。
【００５５】
また、上記実施の形態では、カメラにストロボ装置を備えた構成を例に説明したが、これに限られない。例えば、カメラ本体に、ストロボ装置を後付けする構成としてもよい。これにより、汎用性を高めることができる。
【００５６】
また、上記実施の形態では、カメラまたはストロボ装置にモニタを備えた構成を例に説明したが、これに限られない。例えば、モニタへ信号を入出力する制御装置がさらに通信機能を備え、モニタ部分がカメラまたはストロボ装置から分離して、撮影者がカメラの位置とは異なる場所から被写体像をプレビューできる構成としてもよい。これにより、撮影者が被写体の位置でプレビュー表示を確認することができ、被写体の位置などをそのプレビュー表示を参照しながら微調整することが可能となる。その結果、撮影者の意図がより反映しやすい撮影が可能となる。
【００５７】
さらに、この際、モニタとしてスマートフォンまたはタブレットコンピュータを使用し、カメラなどが有する通信機能を利用して、被写体像のプレビューを表示させる構成としてもよい。これにより、カメラまたはストロボ装置側で特定の構成を有することなく、モニタをカメラまたはストロボ装置から分離させることができる。
【００５８】
以上で説明したように、本発明の撮像装置は、被写体を照明するストロボ光を照射するストロボ装置と、撮影される被写体像をプレビュー表示するモニタと、ストロボ装置とモニタとに信号を入出力する制御装置と、被写体までの被写体距離を測定するセンサとを備える。また、ストロボ装置は、ストロボ光の照射方向を変更する発光部を備える。そして、制御装置は、センサで測定した被写体距離と、ストロボ光の照射方向とに基づいて、ストロボ光の影響を受けた被写体像を予測し、予測された被写体像をモニタにプレビュー表示させる構成としてもよい。
【００５９】
また、本発明の撮像装置は、被写体を照明するストロボ光を照射する発光部を備え、発光部によってストロボ光の照射方向が変更されるストロボ装置を装着可能とした撮像装置である。そして、撮影される被写体像をプレビュー表示するモニタと、被写体までの被写体距離を測定するセンサと、ストロボ装置とモニタとに信号を入出力する制御装置とを備える。制御装置は、センサで測定した被写体距離と、ストロボ光の照射方向に基づいて、ストロボ光の影響を受けた被写体像を予測し、予測された被写体像をモニタにプレビュー表示させる構成としてもよい。
【００６０】
これらの構成によれば、バウンス光の影響を受けた被写体像を、被写体距離とストロボ光の照射方向とから制御装置で予測する。そして、予測された影付きの被写体像をモニタにプレビュー表示する。これにより、事前に、バウンス撮影される被写体像を確認できる。その結果、シャッターチャンスを逃すことなく、バウンス撮影できる撮像装置を実現できる。
【００６１】
また、本発明の撮像装置のモニタは、タッチパネル機能を有し、制御装置は、モニタ上でタッチ入力された位置で、ストロボ光の影響を受けた被写体像を予測する。そして、予測された被写体像をモニタにプレビュー表示し、予測されたように被写体を照明するストロボ光の照射方向を算出して制御してもよい。
【００６２】
この構成によれば、モニタ上で、所望の位置をタッチ入力することにより、様々な影付きの被写体像をプレビュー表示する。さらに、撮影者が所望する被写体像が得られる影を作るために、ストロボ光の照射方向を制御装置で算出する。そして、制御装置は、算出された照射方向に発光部を向ける。これにより、所望の影を被写体に付けたバウンス撮影を行うことができる。
【００６３】
また、本発明の撮像装置の制御装置は、算出されたストロボ光の照射方向を制御信号としてストロボ装置に出力し、ストロボ装置は、制御装置から出力された制御信号に基づいて、発光部の向きを変更するアクチュエータを備えてもよい。
【００６４】
この構成によれば、制御装置から出力された制御信号によって、発光部の向きをアクチュエータで変更制御できる。これにより、モニタ上でタッチ入力されて作られる影を得る方向に発光部を自動的に向けることができる。その結果、シャッターチャンスを逃さずに、バウンス撮影できる。
【００６５】
また、本発明のストロボ装置は、被写体を照明するストロボ光を照射する発光部と、撮影される被写体像をプレビュー表示するモニタと、発光部とモニタとに信号を入出力する制御装置と、被写体までの被写体距離を測定するセンサと、を備える。発光部は、ストロボ光の照射方向を変更可能に構成される。そして、制御装置は、センサで測定した被写体距離とストロボ光の照射方向に基づいて、ストロボ光の影響を受けた被写体像を予測し、予測された被写体像をモニタにプレビュー表示させる構成としてもよい。
【００６６】
この構成によれば、ストロボ装置は、発光部とモニタと制御装置とを備える。そして、ストロボ光の影響を受けたと予測された被写体像を、モニタにプレビュー表示しながら、発光部の向きを変更できる。つまり、モニタのプレビュー表示で確認しながら、所望のバウンス撮影を実現できる。また、ストロボ装置を、カメラと別体で構成できる。そのため、既存のカメラに後付けして、バウンス撮影の結果を撮影前に確認できる。その結果、汎用性に優れたストロボ装置を実現できる。
【００６７】
また、本発明の撮像装置は、上記ストロボ装置を備えてもよい。これにより、簡単な構成の撮像装置を実現できる。
【００６８】
また、本発明の撮像装置またはストロボ装置では、カメラまたはストロボ装置にモニタを備えた構成を例に説明したが、これに限られない。例えばモニタ部分をカメラまたはストロボ装置から分離して、撮影者がカメラの位置とは異なる場所から被写体像をプレビューできる構成としてもよい。
【００６９】
これにより撮影者が被写体の位置でプレビュー表示を確認することができ、被写体の位置などをそのプレビュー表示を参照しながら微調整することが可能となる。その結果、撮影者の意図がより反映しやすい撮影が可能となる。
【００７０】
さらに、この分離されるモニタとして、スマートフォンまたはタブレットコンピュータを用いてもよい。これにより、カメラまたはストロボ装置側で特定の構成を有することなく、モニタをカメラまたはストロボ装置から分離させることができる。
【産業上の利用可能性】
【００７１】
本発明は、バウンス撮影時において、予め予測される被写体像をモニタにプレビュー表示させる。そのため、試し撮りなどの無駄な動作の低減が要望されるストロボ装置やそれを備えたカメラなどの撮影機器などに有用である。
【符号の説明】
【００７２】
１，２１    モニタ
２    ストロボ装置
２ａ，２２    発光部
２ｂ    アクチュエータ
３    制御装置
４    カメラ本体
５    カメラ
１０    指
２０    ストロボ装置
２３    接続部
４１    鏡筒
４２    レリーズボタン
４３    アクセサリーシュー
【図１】
2015025485.tif 000003
【図２】
2015025485.tif 000004
【図３】
2015025485.tif 000005
【図４】
2015025485.tif 000006
【図５】
2015025485.tif 000007
【手続補正書】
【提出日】平成26年12月8日(2014.12.8)
【手続補正１】
【補正対象書類名】特許請求の範囲
【補正対象項目名】全文
【補正方法】変更
【補正の内容】
【特許請求の範囲】
【請求項１】
被写体を照明するストロボ光を照射するストロボ装置と、撮影される被写体像をプレビュー表示するモニタと、前記ストロボ装置と前記モニタとに信号を入出力する制御装置と、
前記被写体までの被写体距離を測定するセンサと、を備え、
前記ストロボ装置は、前記ストロボ光の照射方向を変更する発光部を備え、
前記制御装置は、前記センサで測定した前記被写体距離と、前記ストロボ光の照射方向に基づいて、前記ストロボ光の影響を受けた前記被写体像を予測し、予測された前記被写体像を前記モニタにプレビュー表示させる撮像装置であって、
前記モニタは、タッチパネル機能を有し、
前記制御装置は、前記モニタ上でタッチ入力された位置で、前記ストロボ光による影の引き出したい方向を決定し、
前記ストロボ光による影の方向による影響を受けた前記被写体像を予測し、
前記予測された前記被写体像を前記モニタにプレビュー表示し、
前記予測された前記被写体像を実現する照明を行うように前記ストロボ光の照射方向を算出して制御する撮像装置。
【請求項２】
被写体を照明するストロボ光を照射する発光部を備え、前記発光部によってストロボ光の照射方向が変更されるストロボ装置を装着可能とした撮像装置であって、
撮影される被写体像をプレビュー表示するモニタと、
前記被写体までの被写体距離を測定するセンサと、
前記ストロボ装置と前記モニタとに信号を入出力する制御装置と、を備え、
前記制御装置は、前記センサで測定した前記被写体距離と、前記ストロボ光の照射方向に基づいて、前記ストロボ光の影響を受けた前記被写体像を予測し、予測された前記被写体像を前記モニタにプレビュー表示させる撮像装置であって、
前記モニタは、タッチパネル機能を有し、
前記制御装置は、前記モニタ上でタッチ入力された位置で、前記ストロボ光による影の引き出したい方向を決定し、
前記ストロボ光による影の方向による影響を受けた前記被写体像を予測し、
前記予測された前記被写体像を前記モニタにプレビュー表示し、
前記予測された前記被写体像を実現する照明を行うように前記ストロボ光の照射方向を算出して制御する撮像装置。
【請求項３】
（削除）
【請求項４】
前記制御装置は、算出された前記ストロボ光の照射方向を制御信号として前記ストロボ装置に出力し、
前記ストロボ装置は、前記制御装置から出力された前記制御信号に基づいて前記発光部の向きを変更するアクチュエータを備える請求項１または請求項２のいずれか１項に記載の撮像装置。
【請求項５】
被写体を照明するストロボ光を照射する発光部と、撮影される被写体像をプレビュー表示するモニタと、前記発光部と前記モニタとに信号を入出力する制御装置と、
前記被写体までの被写体距離を測定するセンサと、を備え、
前記発光部は、前記ストロボ光の照射方向を変更可能に構成され、
前記制御装置は、前記センサで測定した前記被写体距離と、前記ストロボ光の照射方向に基づいて、前記ストロボ光の影響を受けた前記被写体像を予測し、予測された前記被写体像を前記モニタにプレビュー表示させるストロボ装置。
【請求項６】
請求項５に記載のストロボ装置を備える撮像装置。
【請求項７】
前記モニタに信号を入力する前記制御装置は、通信機能を有するとともに、前記モニタは、ストロボ装置本体または撮像装置本体から分離されて構成される請求項１または請求項２のいずれか１項に記載の撮像装置。
【請求項８】
前記モニタとして、スマートフォンまたはタブレットコンピュータを用いる請求項７に記載の撮像装置。
【請求項９】
前記モニタは、タッチパネル機能を有し、
前記制御装置は、前記モニタ上でタッチ入力された位置で、前記ストロボ光による影の引き出したい方向を決定し、
前記ストロボ光による影の方向による影響を受けた前記被写体像を予測し、
前記予測された前記被写体像を前記モニタにプレビュー表示し、
前記予測された前記被写体像を実現する照明を行うように前記ストロボ光の照射方向を算出して制御する請求項５に記載のストロボ装置。
【請求項１０】
請求項９に記載のストロボ装置を備える撮像装置。
【手続補正書】
【提出日】平成27年11月5日(2015.11.5)
【手続補正１】
【補正対象書類名】明細書
【補正対象項目名】全文
【補正方法】変更
【補正の内容】
【発明の詳細な説明】
【技術分野】
【０００１】
本発明は、被写体を間接的に照明するバウンス撮影のためのストロボ装置およびストロボ装置を備えた撮像装置およびストロボ装置を装着可能とした撮像装置に関する。
【背景技術】
【０００２】
従来から、写真撮影において、被写体を照明するためのストロボ装置が種々提供されている。
【０００３】
さらに、近年、より自然な画像を得るために、被写体を間接的に照明するバウンス撮影用のストロボ装置が提供されている。バウンス撮影用のストロボ装置は、ストロボ光を天井や壁などの反射体に向けて照射する。そして、反射体で拡散したバウンス光によって、被写体を間接的に照明して撮影する。
【０００４】
また、上記構成のストロボ装置を内蔵したストロボ内蔵カメラも提案されている（例えば、特許文献１参照）。
【０００５】
特許文献１に記載のストロボ内蔵カメラは、制御部を備えている。そして、制御部は、撮影レンズの光軸方向である撮影方向とストロボ光を反射体に向けて照射する照射方向とのなすバウンス角を自動的に制御して、バウンス撮影をする。
【０００６】
さらに、上記ストロボ内蔵カメラは、撮影モードで被写体像などをプレビュー表示するモニタ（ＬＣＤ：Ｌｉｑｕｉｄ  Ｃｒｙｓｔａｌ  Ｄｉｓｐｌａｙ）を備えている。この場合、モニタにプレビュー表示される被写体像は、バウンス光によって照明されない（バウンス撮影されない）状態で表示されている。そのため、バウンス撮影された状態の被写体像を、モニタで確認することができない。
【０００７】
通常、バウンス撮影された被写体像は、バウンス撮影されない被写体像と大きく異なる。具体的には、バウンス光の有無やバウンス角などによって、影の出方が異なったり、テカリが出たり出なかったりする。そのため、ユーザがバウンス撮影されない状態でプレビュー表示した被写体像を確認し、それに基づいてバウンス撮影しても、所望の画像が得られない場合がある。
【０００８】
このとき、所望の画像が得られるまで、試し撮りを何回も繰り返し、望ましいバウンス角を設定して撮影することも可能である。しかし、試し撮りを繰り返している間に、シャッターチャンスを逃すなどの課題があった。
【先行技術文献】
【特許文献】
【０００９】
【特許文献１】特開２００９−１６３１７９号公報
【発明の概要】
【００１０】
本発明は、バウンス撮影の結果を撮影前に確認することができるようにした撮像装置およびストロボ装置を提供する。
【００１１】
本発明の撮像装置は、被写体を照明するストロボ光を照射するストロボ装置と、撮影される被写体像をプレビュー表示するモニタと、ストロボ装置とモニタとに信号を入出力する制御装置と、被写体までの被写体距離を測定するセンサとを備える。また、ストロボ装置は、ストロボ光の照射方向を変更する発光部を備える。そして、制御装置は、センサで測定した被写体距離と、ストロボ光の照射方向とに基づいて、ストロボ光の影響を受けた被写体像を予測し、予測された被写体像をモニタにプレビュー表示させる構成を有する。
【００１２】
また、本発明は、被写体を照明するストロボ光を照射する発光部を備え、発光部によってストロボ光の照射方向が変更されるストロボ装置を装着可能とした撮像装置である。そして、撮影される被写体像をプレビュー表示するモニタと、被写体までの被写体距離を測定するセンサと、ストロボ装置とモニタとに信号を入出力する制御装置とを備える。制御装置は、センサで測定した被写体距離と、ストロボ光の照射方向に基づいて、ストロボ光の影響を受けた被写体像を予測し、予測された被写体像をモニタにプレビュー表示させる構成を有する。
【００１３】
これらにより、予めバウンス光の影響を受けた被写体像を、被写体距離とストロボ光の照射方向とから制御装置によって予測する。そして、予測された影付きの被写体像をモニタにプレビュー表示する。これにより、撮影者は、事前に、バウンス撮影される被写体像を確認できる。その結果、シャッターチャンスを逃すことなく、バウンス撮影できる撮像装置を実現できる。
【００１４】
また、本発明のストロボ装置は、被写体を照明するストロボ光を照射する発光部と、撮影される被写体像をプレビュー表示するモニタと、発光部とモニタとに信号を入出力する制御装置と、被写体までの被写体距離を測定するセンサと、を備える。発光部は、ストロボ光の照射方向を変更可能に構成される。そして、制御装置は、センサで測定した被写体距離とストロボ光の照射方向に基づいて、ストロボ光の影響を受けた被写体像を予測し、予測された被写体像をモニタにプレビュー表示させる構成を有する。
【００１５】
これにより、ストロボ装置をカメラと別体で構成できる。そのため、既存のカメラに後付けして、バウンス撮影の結果を撮影前に確認できる。その結果、汎用性に優れたストロボ装置を実現できる。
【図面の簡単な説明】
【００１６】
【図１】図１は、本発明の実施の形態に係る撮像装置の概略斜視図である。
【図２】図２は、同実施の形態に係る撮像装置の概略斜視図である。
【図３】図３は、同実施の形態に係る撮像装置の概略斜視図である。
【図４】図４は、同実施の形態に係る撮像装置の概略ブロック図である。
【図５】図５は、同実施の形態の別の例に係る撮像装置の概略斜視図である。
【発明を実施するための形態】
【００１７】
以下、本発明の実施の形態について、図面を参照しながら説明する。なお、この実施の形態によって本発明が限定されるものではない。
【００１８】
（実施の形態）
以下に、本発明の実施の形態に係る撮像装置について、図１から図４を参照しながら説明する。
【００１９】
図１は、本発明の実施の形態に係る撮像装置の概略斜視図である。図２は、同実施の形態に係る撮像装置の概略斜視図である。図３は、同実施の形態に係る撮像装置の概略斜視図である。図４は、同実施の形態に係る撮像装置の概略ブロック図である。
【００２０】
図１から図４に示すように、本実施の形態の撮像装置は、少なくともモニタ１と、ストロボ装置２と、制御装置３などを備えている。モニタ１は、撮影される被写体像をプレビュー表示する。ストロボ装置２は、被写体を間接的、または直接的に照明するためのストロボ光を照射する。制御装置３は、モニタ１とストロボ装置２とに信号を入出力して、制御する。
【００２１】
そして、撮像装置は、カメラ本体４などから構成されるカメラ５に備えられている。
【００２２】
具体的には、図１から図３に示すように、モニタ１は、カメラ本体４の背面（被写体側と反対側）に設けられている。カメラ本体４の正面には、撮影レンズ（図示せず）を内蔵した鏡筒４１が取り付けられている。カメラ本体４の内部には、制御装置３（図４参照）やＣＣＤ（Ｃｈａｒｇｅ  Ｃｏｕｐｌｅｄ  Ｄｅｖｉｃｅ）（図示せず）などが収容されている。また、カメラ本体４の上面には、ストロボ装置２やレリーズボタン４２などが取り付けられている。
【００２３】
また、ストロボ装置２は、少なくとも発光部２ａと、アクチュエータ２ｂと、発光回路（図示せず）と、切替スイッチ（図示せず）などを備えている。発光部２ａは、ストロボ光を照射する。図４に示すアクチュエータ２ｂは、発光部２ａの姿勢を変更する。発光回路は、ストロボ光の発光量や発光範囲を制御する。なお、本実施の形態では、発光回路をストロボ装置２に組み込んだ例で説明するが、制御装置３に組み込んでもよい。
【００２４】
また、発光部２ａは、アクチュエータ２ｂにより、カメラ本体４の正面方向と背面方向との間で姿勢を変えることができる。さらに、発光部２ａは、アクチュエータ２ｂにより、カメラ本体４の両側方や斜め方向など３６０°回転可能に構成されている。なお、発光部２ａは、カメラ本体４の正面方向と背面方向との間で姿勢を変えるだけの構成としてもよい。このとき、撮影レンズが被写体に向いている方向に対する発光部２ａの角度（以下、バウンス角と記す）が、信号として制御装置３に入力される。
【００２５】
また、ストロボ装置２またはカメラ本体４は、被写体までの距離（以下、被写体距離と記す）を測定するためのセンサ（図示せず）を備えている。センサは、赤外線などを送受信する素子や超音波などを送受信する素子などによって構成される。センサは、カメラ本体４のレリーズボタン４２を半押しすることで作動し、被写体距離を検出する。そして、センサで検出された被写体距離は、制御装置３で測定される。
【００２６】
これにより、本実施の形態の制御装置３は、上記被写体距離とバウンス角とから、予めバウンス光の影響を受けた被写体像を予測する。そして、予測された被写体像を、カメラ本体４のモニタ１にプレビュー表示する。このとき、プレビュー表示される被写体像には、バウンス光により影が付けられたり、テカリが出た状態で表示される。なお、以下では、プレビュー表示された被写体像に、影が付いた場合のみを例に説明する。
【００２７】
また、図２に示すように、モニタ１は、タッチパネル機能を有している。これにより、ユーザの指１０などで、モニタ１上にタッチ入力された位置が、制御装置３によって特定される。このとき、制御装置３は、被写体を起点にタッチ入力された位置の方向に向けて、バウンス光によって生じる影の付いた被写体像を予測する。そして、予測した被写体像を、モニタ１にプレビュー表示させる。さらに、制御装置３は、予測された被写体像のように、実際に被写体に影を付けるための発光部２ａのバウンス角とバウンス光を照射する向きを算出する。算出された発光部２ａのバウンス角と向きを、制御信号として、ストロボ装置２のアクチュエータ２ｂに出力する。アクチュエータ２ｂは、入力された制御信号に基づいて、発光部２ａのバウンス角と向きを変更する。これにより、予測された被写体像のように、被写体がバウンス撮影される。
【００２８】
以上のように、本実施の形態の撮像装置が構成される。
【００２９】
以下に、本実施の形態の撮像装置の使用方法について、説明する。
【００３０】
まず、図１に示すように、ストロボ装置２の発光部２ａが、被写体の方に向いているとする。
【００３１】
このとき、撮影者がレリーズボタン４２を半押しすると、センサで検出された被写体距離とバウンス角（発光部２ａの角度）が、制御装置３によって算出される。
【００３２】
つぎに、制御装置３は、算出された被写体距離とバウンス角に基づいて、バウンス光によって被写体に作られる影を予測する。そして、予測された影付きの被写体像を、モニタ１にプレビュー表示する。なお、バウンス光は、発光部２ａから照射されたストロボ光が天井や壁などの反射体で反射された光である。そこで、制御装置３は、被写体距離とバウンス角とからバウンス光を予測する。
【００３３】
そして、撮影者は、プレビュー表示された被写体像、すなわちバウンス光によって間接的に照明された場合で予測した被写体像を、モニタ１で確認する。このとき、プレビュー表示された被写体像が、撮影者の所望の画像である場合、撮影者は、レリーズボタン４２を完全に押して、シャッターを切る。これにより、所望の状態でバウンス撮影された画像を得ることができる。
【００３４】
一方、プレビュー表示された被写体像が所望の画像でない場合、撮影者は、バウンス撮影において、影を引き出したい所望の方向のモニタ１上の位置をタッチ入力（フリック入力を含む）する。これにより、モニタ１は、タッチ入力された位置に延びる影を付けた被写体像をプレビュー表示する。例えば、図１に示す被写体像から、図２に示すように、被写体像の影を短くしたい場合、被写体の近くの位置をタッチ入力する。逆に、図１に示す影の方向と反対方向に、影を延ばしたい場合、図３に示すように、被写体の反対側の位置をタッチ入力する。
【００３５】
つまり、タッチパネル機構を有するモニタ１により、タッチ入力された位置が、制御信号として、制御装置３に入力される。
【００３６】
このとき、制御装置３は、被写体を起点にタッチ入力された方向に影を付けた被写体像を演算して予測し、予測した被写体像をモニタ１にプレビュー表示する。
【００３７】
そして、制御装置３は、撮影時に、被写体に影を付けるための制御信号をアクチュエータ２ｂに入力する。これにより、アクチュエータ２ｂは、発光部２ａをバウンス撮影の姿勢に転換する。
【００３８】
具体的には、図１のように被写体の方を向いていた発光部２ａが、例えば図２に示すような傾斜角度が大きい姿勢に転換される。また、例えば図３に示すような発光部２ａの照射方向が、被写体と反対方向に向けられる姿勢に転換される。なお、発光部２ａの姿勢は、モニタ１のタッチ入力で転換してもよい。具体的には、例えばモニタ１上で照明を当てたい位置をタッチすると、タッチした位置を適切な光量で照明できるように発光部２ａの姿勢を変える。さらに、別途、カメラ本体４またはストロボ装置２に、例えばエンターキー（図示せず）を設け、エンターキーを押すことにより、発光部２ａの姿勢を転換するように構成してもよい。
【００３９】
つまり、本実施の形態の撮像装置は、モニタ１にプレビュー表示された被写体像が所望の画像である場合、レリーズボタン４２を完全に押して、シャッターを切る。これにより、所望のバウンス撮影で被写体を撮影することができる。その結果、上記撮像装置を備えたカメラにより、シャッターチャンスを逃すことなく写真撮影することができる。
【００４０】
以下に、本実施の形態の別の例に係るストロボ装置について、図５を参照しながら説明する。
【００４１】
図５は、同実施の形態の別の例に係る撮像装置の概略斜視図である。
【００４２】
つまり、撮像装置をストロボ装置に設ける点で、カメラに設ける上記実施の形態とは異なる。
【００４３】
図５に示すように、同実施の形態の別の例に係るストロボ装置２０は、少なくともモニタ２１と、発光部２２と、制御装置（図示せず）と、接続部２３などを備えている。モニタ２１は、撮影される被写体像をプレビュー表示する。発光部２２は、ストロボ光を照射する。制御装置は、モニタ２１と発光部２２とに信号を入出力する。接続部２３は、カメラ本体４の上面に設けられたアクセサリーシュー４３に装着されて、ストロボ装置２０をカメラ５と接続する。
【００４４】
なお、ストロボ装置２０の発光部２２は、上記実施の形態で説明した発光部２ａと同じである。つまり、発光部２２は、ストロボ光の照射方向を変更できるように構成されている。
【００４５】
同様に、ストロボ装置２０の制御装置は、上記実施の形態で説明した制御装置３と同じである。つまり、制御装置３は、被写体までの被写体距離を、ストロボ装置２０またはカメラ本体４に設けられたセンサで測定する。そして、被写体距離とストロボ光の照射方向（バウンス角）とから、ストロボ光の影響を受けた被写体像を予測する。さらに、予測された被写体像を、ストロボ装置２０のモニタ２１に、簡易的にプレビュー表示する。
【００４６】
なお、本実施の形態のモニタ２１は、本来、絞り値、光量、露出補正量などを表示する画面である。また、通常、カメラ本体４に設けられたモニタ１の画面よりも小さい。そのため、ストロボ装置２０のモニタ２１は、通常、タッチパネル機能を備えていない。しかし、タッチパネル機能を備えてもよいことはいうまでもない。そこで、本実施の形態のストロボ装置２０は、モニタ２１に絞り値などを表示する画面と、簡易プレビュー表示する画面とを切り替えるスイッチ（図示せず）を備えている。これにより。必要に応じて、画面を切り替える。
【００４７】
以上のように、本実施の形態の別の例に係るストロボ装置が構成される。
【００４８】
つまり、本実施の形態のストロボ装置２０は、モニタ２１の簡易プレビュー表示において、上記実施の形態の撮像装置と同様に、バウンス撮影される被写体像を予め表示して、予測した被写体像を確認することができる。
【００４９】
このとき、予測した被写体像が、撮影者の所望の画像である場合、撮影者は、シャッターを切る。これにより、所望のバウンス撮影で被写体を撮影することができる。
【００５０】
一方、予測した被写体像が所望の画像でない場合、発光部２２の向きを変更する。これにより、変更された発光部２２の向きでバウンス撮影したときの予測した被写体像が、モニタ２１に簡易プレビュー表示される。その結果、撮影者は、バウンス撮影される被写体像を、予め確認しながら、撮影することができる。
【００５１】
なお、上記実施の形態に限定することなく、種々の変更を実施することができる。
【００５２】
具体的には、上記実施の形態では、発光部のバウンス角と向きについてのみ説明したが、これに限られない。例えば、まず、発光部から照射されるストロボ光の光量や配光範囲を含めて、バウンス光の状態を算出する。その上で、モニタにプレビュー表示し、光量や配光範囲も変更してバウンス撮影してもよい。これにより、より撮影者が所望する状態で被写体を撮影できる。
【００５３】
また、上記実施の形態では、ストロボ装置にアクチュエータを備えた例で説明したが、これに限られない。例えば、アクチュエータを備えない構成としてもよい。この場合、プレビュー表示された影が得られる発光部の角度と向きがモニタ１に表示される。そして、発光部の角度と向きを、手動で変更するようにしてもよい。
【００５４】
また、上記実施の形態では、モニタがタッチ入力パネル機能を有する例で説明したが、これに限られない。例えば、モニタは、発光部のバウンス角と向きから影付きの被写体像をプレビューするだけの機能としてもよい。この場合、まず、発光部のバウンス角と向きを変更しながら、影の状態をモニタで確認する。そして、撮影したい状態の影がプレビュー表示されたときに、発光部の姿勢を固定して撮影する。これにより、コストを低減できる。
【００５５】
また、上記実施の形態では、カメラにストロボ装置を備えた構成を例に説明したが、これに限られない。例えば、カメラ本体に、ストロボ装置を後付けする構成としてもよい。これにより、汎用性を高めることができる。
【００５６】
また、上記実施の形態では、カメラまたはストロボ装置にモニタを備えた構成を例に説明したが、これに限られない。例えば、モニタへ信号を入出力する制御装置がさらに通信機能を備え、モニタ部分がカメラまたはストロボ装置から分離して、撮影者がカメラの位置とは異なる場所から被写体像をプレビューできる構成としてもよい。これにより、撮影者が被写体の位置でプレビュー表示を確認することができ、被写体の位置などをそのプレビュー表示を参照しながら微調整することが可能となる。その結果、撮影者の意図がより反映しやすい撮影が可能となる。
【００５７】
さらに、この際、モニタとしてスマートフォンまたはタブレットコンピュータを使用し、カメラなどが有する通信機能を利用して、被写体像のプレビューを表示させる構成としてもよい。これにより、カメラまたはストロボ装置側で特定の構成を有することなく、モニタをカメラまたはストロボ装置から分離させることができる。
【００５８】
以上で説明したように、本発明の撮像装置は、被写体を照明するストロボ光を照射するストロボ装置と、撮影される被写体像をプレビュー表示するモニタと、ストロボ装置とモニタとに信号を入出力する制御装置と、被写体までの被写体距離を測定するセンサとを備える。また、ストロボ装置は、ストロボ光の照射方向を変更する発光部を備える。そして、制御装置は、センサで測定した被写体距離と、ストロボ光の照射方向とに基づいて、ストロボ光の影響を受けた被写体像を予測し、予測された被写体像をモニタにプレビュー表示させる構成としてもよい。
【００５９】
また、本発明の撮像装置は、被写体を照明するストロボ光を照射する発光部を備え、発光部によってストロボ光の照射方向が変更されるストロボ装置を装着可能とした撮像装置である。そして、撮影される被写体像をプレビュー表示するモニタと、被写体までの被写体距離を測定するセンサと、ストロボ装置とモニタとに信号を入出力する制御装置とを備える。制御装置は、センサで測定した被写体距離と、ストロボ光の照射方向に基づいて、ストロボ光の影響を受けた被写体像を予測し、予測された被写体像をモニタにプレビュー表示させる構成としてもよい。
【００６０】
これらの構成によれば、バウンス光の影響を受けた被写体像を、被写体距離とストロボ光の照射方向とから制御装置で予測する。そして、予測された影付きの被写体像をモニタにプレビュー表示する。これにより、事前に、バウンス撮影される被写体像を確認できる。その結果、シャッターチャンスを逃すことなく、バウンス撮影できる撮像装置を実現できる。
【００６１】
また、本発明の撮像装置のモニタは、タッチパネル機能を有し、制御装置は、モニタ上でタッチ入力された位置で、ストロボ光の影響を受けた被写体像を予測する。そして、予測された被写体像をモニタにプレビュー表示し、予測されたように被写体を照明するストロボ光の照射方向を算出して制御してもよい。
【００６２】
この構成によれば、モニタ上で、所望の位置をタッチ入力することにより、様々な影付きの被写体像をプレビュー表示する。さらに、撮影者が所望する被写体像が得られる影を作るために、ストロボ光の照射方向を制御装置で算出する。そして、制御装置は、算出された照射方向に発光部を向ける。これにより、所望の影を被写体に付けたバウンス撮影を行うことができる。
【００６３】
また、本発明の撮像装置の制御装置は、算出されたストロボ光の照射方向を制御信号としてストロボ装置に出力し、ストロボ装置は、制御装置から出力された制御信号に基づいて、発光部の向きを変更するアクチュエータを備えてもよい。
【００６４】
この構成によれば、制御装置から出力された制御信号によって、発光部の向きをアクチュエータで変更制御できる。これにより、モニタ上でタッチ入力されて作られる影を得る方向に発光部を自動的に向けることができる。その結果、シャッターチャンスを逃さずに、バウンス撮影できる。
【００６５】
また、本発明のストロボ装置は、被写体を照明するストロボ光を照射する発光部と、撮影される被写体像をプレビュー表示するモニタと、発光部とモニタとに信号を入出力する制御装置と、被写体までの被写体距離を測定するセンサと、を備える。発光部は、ストロボ光の照射方向を変更可能に構成される。そして、制御装置は、センサで測定した被写体距離とストロボ光の照射方向に基づいて、ストロボ光の影響を受けた被写体像を予測し、予測された被写体像をモニタにプレビュー表示させる構成としてもよい。
【００６６】
この構成によれば、ストロボ装置は、発光部とモニタと制御装置とを備える。そして、ストロボ光の影響を受けたと予測された被写体像を、モニタにプレビュー表示しながら、発光部の向きを変更できる。つまり、モニタのプレビュー表示で確認しながら、所望のバウンス撮影を実現できる。また、ストロボ装置を、カメラと別体で構成できる。そのため、既存のカメラに後付けして、バウンス撮影の結果を撮影前に確認できる。その結果、汎用性に優れたストロボ装置を実現できる。
【００６７】
また、本発明の撮像装置は、上記ストロボ装置を備えてもよい。これにより、簡単な構成の撮像装置を実現できる。
【００６８】
また、本発明の撮像装置またはストロボ装置では、カメラまたはストロボ装置にモニタを備えた構成を例に説明したが、これに限られない。例えばモニタ部分をカメラまたはストロボ装置から分離して、撮影者がカメラの位置とは異なる場所から被写体像をプレビューできる構成としてもよい。
【００６９】
これにより撮影者が被写体の位置でプレビュー表示を確認することができ、被写体の位置などをそのプレビュー表示を参照しながら微調整することが可能となる。その結果、撮影者の意図がより反映しやすい撮影が可能となる。
【００７０】
さらに、この分離されるモニタとして、スマートフォンまたはタブレットコンピュータを用いてもよい。これにより、カメラまたはストロボ装置側で特定の構成を有することなく、モニタをカメラまたはストロボ装置から分離させることができる。
【産業上の利用可能性】
【００７１】
本発明は、バウンス撮影時において、予め予測される被写体像をモニタにプレビュー表示させる。そのため、試し撮りなどの無駄な動作の低減が要望されるストロボ装置やそれを備えたカメラなどの撮影機器などに有用である。
【符号の説明】
【００７２】
１，２１    モニタ
２    ストロボ装置
２ａ，２２    発光部
２ｂ    アクチュエータ
３    制御装置
４    カメラ本体
５    カメラ
１０    指
２０    ストロボ装置
２３    接続部
４１    鏡筒
４２    レリーズボタン
４３    アクセサリーシュー
【手続補正２】
【補正対象書類名】特許請求の範囲
【補正対象項目名】全文
【補正方法】変更
【補正の内容】
【特許請求の範囲】
【請求項１】
被写体を照明するストロボ光を照射するストロボ装置と、撮影される被写体像をプレビュー表示するモニタと、前記ストロボ装置と前記モニタとに信号を入出力する制御装置と、
前記被写体までの被写体距離を測定するセンサと、を備え、
前記ストロボ装置は、前記ストロボ光の照射方向を変更する発光部を備え、
前記制御装置は、前記センサで測定した前記被写体距離と、前記ストロボ光の照射方向に基づいて、前記ストロボ光の影響を受けた前記被写体像を予測し、予測された前記被写体像を前記モニタにプレビュー表示させる撮像装置であって、
前記モニタは、タッチパネル機能を有し、
前記制御装置は、前記モニタ上でタッチ入力された位置で、前記ストロボ光による影の引き出したい方向を決定し、
前記ストロボ光による影の方向による影響を受けた前記被写体像を予測し、
前記予測された前記被写体像を前記モニタにプレビュー表示し、
前記予測された前記被写体像を実現する照明を行うように前記ストロボ光の照射方向を算出して制御する撮像装置。
【請求項２】
被写体を照明するストロボ光を照射する発光部を備え、前記発光部によってストロボ光の照射方向が変更されるストロボ装置を装着可能とした撮像装置であって、
撮影される被写体像をプレビュー表示するモニタと、
前記被写体までの被写体距離を測定するセンサと、
前記ストロボ装置と前記モニタとに信号を入出力する制御装置と、を備え、
前記制御装置は、前記センサで測定した前記被写体距離と、前記ストロボ光の照射方向に基づいて、前記ストロボ光の影響を受けた前記被写体像を予測し、予測された前記被写体像を前記モニタにプレビュー表示させる撮像装置であって、
前記モニタは、タッチパネル機能を有し、
前記制御装置は、前記モニタ上でタッチ入力された位置で、前記ストロボ光による影の引き出したい方向を決定し、
前記ストロボ光による影の方向による影響を受けた前記被写体像を予測し、
前記予測された前記被写体像を前記モニタにプレビュー表示し、
前記予測された前記被写体像を実現する照明を行うように前記ストロボ光の照射方向を算出して制御する撮像装置。
【請求項３】
前記制御装置は、算出された前記ストロボ光の照射方向を制御信号として前記ストロボ装置に出力し、
前記ストロボ装置は、前記制御装置から出力された前記制御信号に基づいて前記発光部の向きを変更するアクチュエータを備える請求項１または請求項２のいずれか１項に記載の撮像装置。
【請求項４】
被写体を照明するストロボ光を照射する発光部と、撮影される被写体像をプレビュー表示するモニタと、前記発光部と前記モニタとに信号を入出力する制御装置と、
前記被写体までの被写体距離を測定するセンサと、を備え、
前記発光部は、前記ストロボ光の照射方向を変更可能に構成され、
前記制御装置は、前記センサで測定した前記被写体距離と、前記ストロボ光の照射方向に基づいて、前記ストロボ光の影響を受けた前記被写体像を予測し、予測された前記被写体像を前記モニタにプレビュー表示させるストロボ装置。
【請求項５】
請求項４に記載のストロボ装置を備える撮像装置。
【請求項６】
前記モニタに信号を入力する前記制御装置は、通信機能を有するとともに、前記モニタは、ストロボ装置本体または撮像装置本体から分離されて構成される請求項１または請求項２のいずれか１項に記載の撮像装置。
【請求項７】
前記モニタとして、スマートフォンまたはタブレットコンピュータを用いる請求項６に記載の撮像装置。
【請求項８】
前記モニタは、タッチパネル機能を有し、
前記制御装置は、前記モニタ上でタッチ入力された位置で、前記ストロボ光による影の引き出したい方向を決定し、
前記ストロボ光による影の方向による影響を受けた前記被写体像を予測し、
前記予測された前記被写体像を前記モニタにプレビュー表示し、
前記予測された前記被写体像を実現する照明を行うように前記ストロボ光の照射方向を算出して制御する請求項４に記載のストロボ装置。
【請求項９】
請求項８に記載のストロボ装置を備える撮像装置。
【手続補正３】
【補正対象書類名】図面
【補正対象項目名】全図
【補正方法】変更
【補正の内容】
【図１】
2015025485.tif 000008
【図２】
2015025485.tif 000009
【図３】
2015025485.tif 000010
【図４】
2015025485.tif 000011
【図５】
2015025485.tif 000012
【国際調査報告】
2015025485.tif 000013
2015025485.tif 000014
2015025485.tif 000015
2015025485.tif 000016